(57)【要約】  電動歯ブラシを開示する。電動歯ブラシは、１つ以上のモータ、バッテリ、及び駆動機構を保持する内部中空領域を有する本体を含む。歯ブラシは、１つ以上の毛支持体を含む。各毛支持体は数種類の動作を行い、１つ以上のモータ及び駆動機構により駆動される。毛支持体の各種組み合わせの動きを記載する。更に、記載した運動を実現する多数の動力伝達機構を開示する。
2007514503.tif 000002
【特許請求の範囲】
【請求項１】
内部に配置されたモータを有する細長いハンドルと、
長手方向軸とその上に配置された可動毛支持体とを有するヘッドであって、使用中に静止しているヘッドと、
前記ハンドルと前記ヘッドとの間に延伸するネックと、
前記可動毛支持体に直接的に連結され、且つ前記モータに作動的に接続されたシャフトと、を含む電動歯ブラシであって、
前記シャフトの動作により、前記可動毛支持体は、前記ヘッドの前記長手方向軸に対して概ね垂直な軸線の周りで振動運動し、また前記ヘッドの前記長手方向軸に対して概ね垂直な前記軸線に沿って往復運動し、前記可動毛支持体はその下面に配置された傾斜を更に含み、前記ヘッドは更に柱を含み、前記傾斜及び前記柱は摺動的に係合する、電動歯ブラシ。
【請求項２】
第２可動毛支持体が、前記可動毛支持体と前記ハンドルとの間に配置されている、請求項１に記載の電動歯ブラシ。
【請求項３】
前記第２可動毛支持体が、前記ヘッドの前記長手方向軸に沿って往復運動する、請求項２に記載の電動歯ブラシ。
【請求項４】
前記シャフトが往復運動する、請求項１〜３のいずれか一項に記載の電動歯ブラシ。
【請求項５】
前記可動毛支持体が、前記第２傾斜の一端部の停止部材を更に含む、請求項１〜４のいずれか一項に記載の電動歯ブラシ。
【請求項６】
前記停止部材が、前記可動毛支持体の下面から延伸するピンの形態である、請求項５に記載の電動歯ブラシ。
【請求項７】
前記ヘッド及び前記ネックの各々が可動的であり、前記ハンドルが第２長手方向軸を含み、前記ヘッドが前記ハンドルに対して可動的であり、
前記シャフトの動作により、前記ネック及び前記ヘッドが、前記ハンドルの前記長手方向軸に対して概ね横断方向に動く、請求項１に記載の電動歯ブラシ。
【請求項８】
前記電動歯ブラシが、前記ヘッド上に配置された第２可動毛支持体を更に含む、請求項７に記載の電動歯ブラシ。
【請求項９】
前記シャフトの動作により、前記第２可動毛支持体が、前記ヘッドの前記長手方向軸と概ね平行な軸線に沿って往復運動する、請求項８に記載の電動歯ブラシ。
【請求項１０】
前記シャフトが往復運動する、請求項７〜９のいずれか一項に記載の電動歯ブラシ。
【発明の詳細な説明】
【技術分野】
【０００１】
（関連出願の相互参照）
本出願は、参考として本明細書に組み込まれる、２００３年１２月１９日出願の米国仮出願第６０／５３１，０７１号の優先権を主張する。
【０００２】
（発明の分野）
本発明は歯ブラシの分野に関し、より詳細には、本発明は電動式歯ブラシの分野に関する。
【背景技術】
【０００３】
最もよく知られている電動歯ブラシは、歯ブラシに組み込まれている電動モータで動くか、又は駆動する単一毛支持体を利用している。こうした歯ブラシの毛支持体は、多様な運動を行う。例えば、回転運動を行う毛支持体が良く知られている。ブラシの平面内で線状に前後に動く毛支持体も知られている。また、米国特許第５，９７４，６１５号など、ブラシの平面に垂直な線状に動く毛支持体も知られている。これらの毛支持体はある点においては十分であるが、動力を備えた歯ブラシの設計において未だ改善の必要性がある。
【０００４】
電気歯ブラシのデザイン、性能、洗浄効果、簡素化、及び／又は商業可能性を改善しようという多くの試みがなされている。その１つの方法は、複数電動毛支持体を備えることである。ほとんどの技術者は、ブラシの一端に沿って毛を複数セットに分け、各組の毛を同時に回転させる駆動機構を組み込んでいる。そうした設計例として、米国特許第３，２４２，５１６号、第４，１５６，６２０号、第４，８４５，７９５号、第５，０８８，１４５号、第５，０２０，１７９号、第４，８２７，５５０号、及び第４，５４５，０８７号に記載されたものが挙げられ、これら全ての特許は本明細書に参照により組み込まれる。
【発明の開示】
【発明が解決しようとする課題】
【０００５】
様々な組み合わせの動きをする毛支持体が、従来技術において開示されているが、更なる組み合わせの運動を行う１つ以上の毛支持体を備えた電気歯ブラシを提供する必要性が依然として残っている。
【課題を解決するための手段】
【０００６】
本発明は、第１の態様において、内部に配置されたモータを有する細長いハンドルと、長手方向軸及び可動毛支持体を有するヘッドと、を含む電動歯ブラシであって、使用中にヘッドが静止している電動歯ブラシを提供する。つまり、ヘッドは、歯ブラシのハンドル又は本体部分に関して静止している。電動歯ブラシは又はンドルとヘッドとの間に延伸するネックを含む。歯ブラシは、可動毛支持体に直接的に連結され、且つモータに作動的に接続されたシャフトを更に含む。シャフトの動作により、可動毛支持体は、ヘッドの長手方向軸に対して概ね垂直な軸線の周りで振動運動し、更にヘッドの長手方向軸に対して概ね垂直な軸線に沿って往復運動する。可動毛支持体は、更に支持体の下面に配置された傾斜を含む。更に、ヘッドの内部内に柱を設ける。柱は、歯ブラシの作動中、傾斜と柱とが互いに摺動的に係合することにより毛支持体の往復運動を生じさせるように配置され構成される。
【０００７】
更に別の態様において、本発明は、長手方向軸と内部に配置されたモータとを有する細長いハンドルを含む電動歯ブラシを提供する。電動歯ブラシはまた、第２長手方向軸と可動毛支持体とを有する可動ヘッドを含む。可動ヘッドは、ハンドルに対して可動的である電動歯ブラシは、更にハンドルとヘッドとの間に延伸する可動ネックを含む。また、電動歯ブラシは、モータ及び可動毛支持体に作動的に連結されたシャフトを含む。シャフトは、シャフトの動作により、可動毛支持体がヘッドの第２長手方向軸に対して概ね垂直な軸線の周りで振動運動するように、可動ネックを作動的に係合させる。シャフトの動作により、更に可動ネック及び可動ヘッドは、ハンドルの長手方向軸に対して概ね横断方向に動く。
【０００８】
更に別の態様において、本発明は、長手方向軸と内部に配置されたモータとを有する細長いハンドルを含む電動歯ブラシを提供する。電動歯ブラシは、第２長手方向軸と可動毛支持体とを有する可動ヘッドを更に含み、可動ヘッドはハンドルに対して可動的である。電動歯ブラシは、ハンドルとヘッドとの間に延伸する可動ネックを更に含む。また、電動歯ブラシは、モータ及び可動毛支持体に作動的に連結されたシャフトを含む。シャフトは、モータがシャフトにわずか一回の運動を付与し、シャフトの動作により、可動毛支持体がヘッドの第２長手方向軸に対して概ね垂直な軸線の周りで振動運動するように、可動ネックを作動的に係合させる。更に、シャフトの動作により、可動ネック及び可動ヘッドは、ハンドルの長手方向軸に対して概ね横断方向に動く。
【０００９】
更に別の態様において、本発明は、長手方向軸と内部に配置されたモータとを有する細長いハンドルを含む電動歯ブラシを提供する。歯ブラシは、更に第２長手方向軸と可動毛支持体とを有する可動ヘッドを含む。可動ヘッドは、ハンドルに対して可動的である。歯ブラシは、更にハンドルとヘッドとの間に延伸する可動ネックを含む。また、電動歯ブラシは、モータ及び可動毛支持体に作動的に連結されたシャフトを含み、シャフトは、可動ネックを作動的に係合させる。シャフトの動作により、可動毛支持体は、ヘッドの第２長手方向軸に対して概ね垂直な軸線の周りで振動運動する。更に、シャフトの動作により、可動ネック及び可動ヘッドは、ハンドルに近接したネックの末端部にある枢支点の周りで、ハンドルの長手方向軸に対して概ね横断方向に動く。
【００１０】
更に別の態様において、本発明は、長手方向軸と内部に配置されたモータとを有する細長いハンドルを含む電動歯ブラシを提供する。電動歯ブラシは、第２長手方向軸と可動毛支持体とを有する可動ヘッドを更に含み、可動ヘッドは、ハンドルに対して可動的である。電動歯ブラシは、ハンドルとヘッドとの間に延伸する可動ネックを更に含む。また、電動歯ブラシは、モータ及び可動毛支持体に作動的に連結されたシャフトを含み、シャフトは、可動ネックを繰り返し係合させたり係合離脱させたりする。シャフトの動作により、可動毛支持体は、ヘッドの第２長手方向軸に対して概ね垂直な軸線の周りで振動運動し、シャフトが繰り返し係合したり係合離脱することにより、可動ネック及び可動ヘッドは、ハンドルの長手方向軸に対して概ね横断方向に動く。
【発明を実施するための最良の形態】
【００１１】
本発明は、様々な構成要素及び構成要素の配置、並びに様々な技法、方法、又は手順及び工程の構成にて具体化してもよい。参照図面は、好ましい実施形態を図示する目的だけであり、必ずしも寸法には従っておらず、本発明を限定するものと解すべきではない。
【００１２】
本発明は、以下の説明に添付図面を参照することで、より良く理解されると考えられる。
【００１３】
当然のことながら、本発明は、交換式のブラシ先端頭部、交換式の毛支持体を有する電動歯ブラシ及び、１つ以上の毛支持体を有する電動歯ブラシといった、電動歯ブラシに関する。本発明は、特に、２つの毛支持体を有する電動歯ブラシに関するものである。この毛支持体はそれぞれ、歯ブラシ本体に組み込まれている電動モータによって作動する。
【００１４】
具体的には、本発明は、電動歯ブラシ、ブラシヘッド、毛支持体を組み合わせて使用することができる。この場合、毛支持体には、回転、振動、軌道運動又は往復運動する（並びにこれらの動きを組み合わせた動きをする）シャフトが備わっており、このシャフトによって第１及び第２毛支持体が作動するようになる。更に、本発明は、電動歯ブラシと、ブラシヘッドと、第１及び第２毛支持体の双方、又はどちらか１つの毛支持体にのみシャフトが作動的に連結されている毛支持体、とを組み合わせて使用することができる。後者の例では、シャフトと直接結合していない毛支持体が作動するように、毛支持体そのものが相互に連結し合っている。
【００１５】
様々な好ましい実施形態の歯ブラシを取り上げる前に、本明細書で引用される様々なタイプの運動について定義することが有益であろう。本明細書で使用する用語「角運動」は、任意の角度変位を指す。「直線運動」は、まっすぐ又は実質的にまっすぐな線若しくは方向に沿う動作である。「主に直線運動」は、以下で説明する。「曲線運動」は、完全に直線状でも完全に角度を成すでもなく、その２つの組み合わせ（例えば、曲線状）の動作である。これらの運動は、一定にも又は周期的にもすることができる。一定運動は、方向又は経路を変化させない（即ち、単一方向の）運動を指す。周期運動は、方向又は経路を逆転させる運動を指す。実質的に円の形体である一定の角運動（即ち、３６０度以上を通じて延びる運動）は、回転運動と呼ばれる。周期角運動は、３６０度未満を通じて延びる運動であり、揺動運動と呼ばれる。曲線運動もまた、一定（即ち単一方向）又は周期（即ち方向逆転）のいずれかにすることができる。周期直線運動は、「往復運動」と呼ばれる。軌道運動は、一般に本体の中心点とは異なる点の周りでの、本体のほぼ環状の運動である。
【００１６】
上述した運動は、毛支持体の１つ以上の軸線に沿っても起こり得る。したがって、本明細書で示される動作は、軸座標の数に応じて、１次元、２次元、又は３次元の動きとして描かれ、この軸座標は、動作中における毛支持体の位置を示すために必要となるものである。図１に軸Ｘ、Ｙ、Ｚを示す。１次元動作は、１つの座標（例えばＸ、Ｙ、又はＺ座標）によって表すことのできる動きである。典型的には、１次元運動になり得るのは線状運動のみである。例えば、概ねＹ軸に沿ってのみ動く周期線状運動は、１次元運動である（本明細書ではこれを「パルシング運動」と呼ぶ）。２次元運動とは、毛支持体の移動経路を表すために２つの座標（例えば、Ｘ及びＹ座標）が必要となる毛支持体による動きを意味する。１平面上の角運動は２次元運動である。３次元運動とは、毛支持体の移動経路を表すために３つの座標（例えば、Ｘ、Ｙ及びＺ座標）が必要となる毛支持体による動きを意味する。３次元運動の例としては、らせん状の経路を取る毛支持体の動きが挙げられる。
【００１７】
図１は、本発明の好ましい実施形態である歯ブラシ２の斜視図である。この歯ブラシ２は、ハンドル３０と、ヘッド５０と、ハンドル３０及びヘッド５０の間に延伸するネック４０とを有する伸長型本体１０から構成されている。本体１０の外側領域に沿って、スイッチ２０が配置又はアクセスできるようになっている。当然のことながら、スイッチ２０によって、歯ブラシ２の本体１０内に包含されている電動モータが作動する。このモータ（図示せず）及び本明細書に記載の駆動機構（図示せず）によって、歯ブラシの遠位端近くに配置された１つ以上の毛支持体に電動力が供給される。具体的には、歯ブラシ２には更に、第１毛支持体６０と第２毛支持体７０が備わっている。第１支持体６０は、ヘッド５０の最遠位端５２に近接して配置されている。本明細書でより詳細に述べる通り、駆動機構を稼動させると、第１及び第２毛支持体は、特定の動作が組み合わさった動きを行う。これらの動作は、軸Ｘ、Ｙ、Ｚ、及びこれらの軸を含む平面によって最もよく表される。本明細書で述べる通り、これらの平面は、Ｘ平面、Ｙ平面、又はＺ平面と呼ばれる。
【００１８】
本明細書では、Ｘ軸は、通常は長手方向軸と呼ばれ、一般的に、歯ブラシヘッド又は毛支持体の長手方向又は縦方向の面（歯ブラシの平面図に見られるように）に沿って延在している。歯ブラシヘッド又は毛支持体の長手方向軸は、歯ブラシのネック及び／又はハンドルの長手方向軸と一致する場合があるが、例えば、歯ブラシヘッドがネック又はハンドルのどちらかに対して斜めに配置されている場合には、一致させる必要はない。本明細書に記載されたある実施形態では、ヘッド及び／又はネック構成要素は、ハンドルの長手方向軸とは異なる長手方向軸を有してもよい。この場合、ハンドルの長手方向軸は、第１長手方向軸と呼ぶことができ、ヘッド及び／又はネックの長手方向軸は、第２長手方向軸と呼ぶことができる。Ｙ軸はＸ軸と交わる軸で、歯ブラシヘッドを概ね左右に等分させる軸である。Ｚ軸は、Ｘ及びＹ軸に直角、つまり垂直の軸である。
【００１９】
Ｘ面はＸ軸を含む面で、本明細書では一般的に、歯ブラシの平面又は歯ブラシヘッドの平面と呼ばれる。一般的に、この平面は、歯ブラシ又は歯ブラシヘッドの長手方向面に沿って広がる面である。Ｙ面はＹ軸を含む面で、歯ブラシ全体にわたって延在し、Ｘ面に垂直な面である。Ｙ面は、歯ブラシを二分する面、又は歯ブラシを二分する面と平行な面である。Ｚ面は、Ｘ面及びＹ面の双方に垂直な面である。
【００２０】
更に、好ましい実施形態の歯ブラシ及び毛支持体について説明する際に使用する専門用語について取り上げるのも有益である。本明細書で使用する場合、用語「前方」とは、ハンドルからヘッドに向かう方向を意味し、用語「後方」とは、ヘッドからハンドルに向かう方向を意味する。長手方向とは、長手方向軸、つまりＸ軸と概ね一致する方向を意味するが、この軸と同じ面内にある必要はない。例えば、シャフト及び毛支持体の長手方向軸は、同じ面内に延在する軸である必要はないが、上平面から見て、概ね同じ方向に延在する軸である。同様に、相互に斜めに配置されているネックとヘッドには、同じ面内に延伸する長手方向軸がない場合もあるが、平面図上から見て、概ね同じ長手方向に延伸する軸が存在する。好ましい実施形態である電気歯ブラシの多くには、通常は歯ブラシの最長面を通る長手方向軸を有する細長いヘッドが備わっている。この軸は、典型的には、歯ブラシのネック及び／又はシャフトの長手方向軸と概ね同一の方向に延在する。この軸は、一般的に歯ブラシの長手方向軸と呼ばれる。「概ね同じ方向」という表現は、軸間の角度に幾分偏差があることを意味する。また、本明細書では「歯ブラシの面」という表現が頻繁に使われる。当然のことながら、通常、この表現は、歯ブラシヘッドの長手方向軸内に広がる面を意味する。
【００２１】
また、第１毛支持体とは、本明細書で使用する場合、歯ブラシの最遠位端にある毛支持体を意味する。第２毛支持体とは、第１毛支持体の横又は隣りに配置されており、第１毛支持体の後部にある次の毛支持体を意味する。第３毛支持体とは、第２毛支持体と隣接しており、第２毛支持体の後部に位置付けられた毛支持体を意味する。第４毛支持体とは、第３毛支持体の後部にある毛支持体を意味し、以下も同様である。
【００２２】
一般に、本発明の好ましい実施形態である歯ブラシは、電動モータ及び駆動機構を保持する中空の伸長型本体を含み、この駆動機構は、１つ、２つ、又はそれ以上の可動毛支持体を作動させるために使用される。また、中空の伸長型本体には、モータに電力を供給するバッテリを１つ以上収めるための内部チェンバーがある。また、モータ及び駆動機構を作動させるために、本体の外部領域に沿って１つ以上のスイッチが設けられている。当然のことながら、取り外し可能な端部キャップを付けて内部チェンバーを囲み、外部の物質から歯ブラシの本体内の構成要素を密封するようにする。本明細書で詳細に述べるように、好ましい実施形態である歯ブラシは、１つ、２つ、又はそれ以上の可動毛支持体を含む。毛支持体はそれぞれ、特定タイプの運動を行い、結果的に、動作が組み合わさることにより、独特の洗浄効果を発揮する。
【００２３】
既に述べた通り、好ましい実施形態の電気歯ブラシには、歯ブラシに組み込まれた電動モータ及び駆動機構によって作動する毛支持体が１つ以上備わっている。これらの歯ブラシには、それぞれ異なる運動を行う２つの毛支持体が用いられるのが好ましい。
【００２４】
図２は、好ましい実施形態の歯ブラシ２の第１毛支持体６０と、ヘッド及びネック（すなわちそれぞれ５０及び４０）部分との間の好ましいアセンブリ構成を図解している。第１毛支持体６０は、そこから外側に延伸する複数本の毛１１４を有する基部１１０を包含する。ヘッド５０の内部内に画定されているのは、スリーブ受け部１２６である。スリーブ受け部１２６は、好ましくは、内側合わせ面１２８を画定する円筒形の突起部の形態である。合わせ面１２８は、スリーブ１２２を受け入れるように適合される。次に、スリーブ１２２は、スリーブ１２２の内部内に配置された軸１１８を収容する大きさに作られる。スリーブ受け部１２６と、ヘッド部分５０の最遠位端５２との間に延在するのは、好ましくは案内部材即ち柱１４０である。案内部材１４０は、本明細書でより詳細に説明する案内面１４２を画定する。
【００２５】
図３は、第１毛支持体６０の詳細な側面図である。第１毛支持体の基部１１０の下面に沿って延在しているのは、第１毛支持体のカム部材１５０である。カム部材１５０は、一般的にカム表面１５２上の第１の位置１５２ａと第２の位置１５２ｂとの間に延在するカム表面即ち傾斜１５２を画定する。やはり第１毛支持体の基部１１０の下面から延伸しているのは、係合部材１５６である。係合部材は、本明細書でより詳細に説明する駆動シャフトに取り付けられるか、又は駆動シャフトと係合するようになされる。係合部材１５６は、図に示した円筒形突起物以外の種々の形体であってもよい。駆動シャフトは、支持体に直接的に連結されていることが好ましく、また最も好ましくは係合部材に直接連結されている。「直接」連結とは、駆動シャフトの動作の全段階又は発生中において、シャフトが支持体に連結されていることを意味する。係合部材１５６はまた、やはり本明細書でより詳細に説明する停止部材としての機能を果たしてもよい。
【００２６】
図４は、第１毛支持体６０の基部１１０の下面を図解している。カム部材１５０は、好ましくは、軸１１８が配置されている基部１１０の中心の周りに延在している弓形部材の形体である。傾斜面１５２の第１及び第２の位置１５２ａ及び１５２ｂは、それぞれ図４に示されている。同様に、係合部材１５６は、第１位置１５２ａに近接して配置されていることが理解されるであろう。
【００２７】
図５は、好ましい実施形態の歯ブラシ２のヘッド部分５０及びネック部分４０の部分分解図の詳細な斜視図である。この図において、第１毛支持体６０は、受け口１２６内に受け入れられた軸１１８により、ヘッド５０上に取り付けられて及び／又は回転自在に支持されて示されている。更に、カム部材１５０は、案内部材１４０の案内面１４２と係合していることに留意されるであろう。具体的には、カム表面１５２（図示せず）は、案内面１４２と接触している。
【００２８】
図６は、好ましい実施形態の歯ブラシ２の作動中に第１毛支持体６０が行うそれぞれの運動を図解している。上の側面図は、下のブラシヘッドの平面図に一致することが理解されるであろう。下のブラシヘッドの図は概略図であり、あたかもヘッド５０の下面が透明であるかのごとく支持体基部１１０の下面、カム部材１５０、及び案内部材即ち柱１４０を図示していることが理解されるであろう。左端の図は、その作動中の第１段階における歯ブラシを図解しており、一方、右端の図は、歯ブラシの作動の第２段階におけるブラシ構成要素の位置を図解している。具体的には、好ましい実施形態の歯ブラシ２は、駆動シャフト９０を包含する。駆動シャフト９０の遠位端は、係合部材１５６に連結されている。明瞭化のために、この連結具は図示されていない。駆動シャフト９０は、好ましくは歯ブラシ２の作動中に往復運動を行う。駆動シャフト９０を左下の図に示した矢印の方向に（即ち矢印Ｊの方向に）動かすと、第１毛支持体の基部１１０は、矢印Ｋの方向に回転する。こうして中心即ち軸１１８の周りで回転させることにより、基部１１０は、左上の図に示した矢印Ｌの方向に動くことができる。駆動シャフト９０を右下の図に示した矢印Ｍの方向に動かすと、基部１１０は、軸１１８の周りで矢印Ｎの方向に回転する。この回転運動により、支持体６０及び具体的にはその基部１１０は、ヘッド５０から外側に右上の図に示した矢印Ｏの方向に進む。係合部材１５６は、作動中に基部１１０の過度回旋又は過大振動を防ぐため、停止部材としての機能を果たしてもよい。つまり、係合部材１５６は、案内面１４２をカム表面１５２に確実に接触して保持する働きをすることができる。一般的に、支持体６０が外側に矢印Ｏの方向に距離Ｄを移動した後、ブラッシング動作中にユーザーがブラシヘッドに力を加えると、支持体６０は、矢印Ｌの方向に変位して元に戻る。本発明は、支持体６０をブラシヘッドに向って矢印Ｌ方向に元に戻らせるため、又は支持体が元に戻るのを補助するため、バネ若しくは他のバイアス部材を利用した実施形態を包含する。
【００２９】
更に図３及び４を参照すると、カム部材１５０の構成、形状、及び大きさは、所望の脈動運動の程度、駆動シャフト９０の往復運動の頻度及びストローク長、及び他の要因に応じて変化してもよいことが理解されるであろう。例えば、傾斜面１５２の傾斜角は、特に位置１５２ａと１５２ｂとの間において、ブラシの平面Ｘに対して一定の角度であってもよく、或いは変化する角度であってもよい。傾斜面１５２に関して、変化する角度又は他の非直線的な構成が使用される場合、支持体６０の脈動特性は、容易に変化し得ることが理解されるであろう。加えて、図３に図示した寸法Ｈにより示すような位置１５２ａと１５２ｂとの間の高さの違いは、図６に図示した寸法Ｈを主に決定する。一般にこの寸法は、下限値として約０．１ｍｍ、より好ましくは約０．５ｍｍ、より好ましくは約０．７５ｍｍ、より好ましくは約１．０ｍｍ、より好ましくは約１．５ｍｍから、上限値として約５．０ｍｍ、より好ましくは約４．０ｍｍ、より好ましくは約３．０ｍｍ、及びより好ましくは約２．５ｍｍまでの範囲であってもよい。
【００３０】
好ましい実施形態の歯ブラシは、更に静止毛の集合体又は配列と組み合わせて、いかなる数の毛支持体の組み合わせを利用してもよい。例えば、図７は、ヘッド５０ａとネック４０ａとを有する別の好ましい実施形態の歯ブラシ２ａの実施形態を図解している。ヘッド５０ａの最遠位端上に配置されているのは、第１毛支持体６０ａである。ヘッド５０ａ上の他の場所に配置されているのは、複数個の静止毛８０ａである。
【００３１】
図８は、本発明による別の好ましい実施形態の歯ブラシ２ｂを図解している。歯ブラシ２ｂは、ヘッド５０ｂとネック４０ｂとを備えている。ヘッド５０ｂ上に配置されているのは、第１毛支持体６０ｂ及び第２毛支持体７０ｂである。
【００３２】
図９は、別の好ましい実施形態の歯ブラシ２ｃを図示している。歯ブラシ２ｃは、ヘッド５０ｃとネック４０ｃとを包含する。ヘッド５０ｃの最遠位端上に配置されているのは、第１毛支持体６０ｃである。第２毛支持体７０ｃは、第１毛支持体６０ｃの横に、又は近接して配置されている。静止毛８０ｃの配列は、第２毛支持体７０ｃとネック４０ｃとの間に位置している。
【００３３】
図７、８、及び９に図示した実施形態の各々において、第１毛支持体６０ａ、６０ｂ、及び６０ｃは、歯ブラシ２の毛支持体６０に関して本明細書で説明したように、好ましくは同じ組み合わせの動作を行う。つまり、歯ブラシ２ａ、２ｂ、又は２ｃを稼動すると、支持体６０ａ、６０ｂ、又は６０ｃは、振動運動及び脈動運動の両方を行う。
【００３４】
第２毛支持体（例えば、支持体７０ｂ及び７０ｃなど）、又は第３支持体若しくは第４支持体などの追加的な支持体のいずれかは、いかなる種類の運動を行ってもよいことが理解されるであろう。好ましくは、第２毛支持体は、横方向の運動（即ち平面Ｘ内で）を行うこと、また好ましくはこの運動は往復運動であることが考慮される。或いは、第２毛支持体は、歯ブラシのヘッド及び／又はハンドルの長手方向軸と概ね平行な往復運動を行うことも好ましい。本発明は、第２毛支持体が第１支持体と同様の方式で脈動する実施形態も包含する。その上、本発明は、第２支持体が振動及び脈動運動を行う一方、第１支持体及び／又は別の支持体がある種の運動を行う実施形態を包含する。前述の通り、支持体のいずれかは、角運動、直線運動、曲線運動、及びこれらの運動の種類の変形など、あらゆる種類の運動を行ってもよい。
【００３５】
本発明の歯ブラシはまた、歯ブラシのヘッド全体及び／又はネック部分の少なくとも一部に運動が付与される実施形態を包含する。これは、ヘッド上に配置されている唯一又はそれ以上の毛支持体が、歯ブラシの作動中に運動を行う前述の実施形態とは対照的である。図１０は、かかる好ましい実施形態の歯ブラシ２０２を図解しており、ヘッド２５０、ハンドル２３０、及びそれらの間に延在するネック２４０を有している。本明細書でより詳細に説明する通り、ネック２４０及びハンドル２３０の末端部又は基部の間に、可撓性部材３００が設けられているのが好ましい。ヘッド２５０上に配置されているのは、第１毛支持体２６０、及び第２毛支持体２７０である。駆動シャフト２９０は、ネック２４０内に延びており、ブラシの作動中に好ましくは往復運動を行う。駆動シャフト２９０の外周に沿って配置されているのは、嵌合カラー２９２である。嵌合カラー２９２は、駆動シャフト２９０上の位置に配置されており、歯ブラシの作動中及び駆動シャフト２９０の往復運動中、カラー２９２は、案内部材２４２に周期的に接触し、また好ましくは係合する。案内部材２４２は、好ましくはネック２４０の内面から内側に延伸するように形成される。図１０は、駆動シャフト２９０が矢印Ｓの方向に動く間、カラー２９２は、案内部材２４２に周期的に接触して係合することを図解している。本明細書でより詳細に説明する案内部材２４２の構成により、ネック２４０及びヘッド２５０は、矢印Ｔの方向に変位する。更に具体的には、変位は、一般的には点Ｆの周りで角又は旋回運動にて生じる。
【００３６】
図１１は、ブラシの継続運転中のヘッド２５０及びネック２４０の動作と、駆動シャフト２９０の矢印Ｕの方向への動作とを図解している。カラー２９２と案内部材２４２との間におけるこの係合離脱は、結果としてヘッドを、図１１において矢印Ｖの方向に示したような反対方向に動かす。
【００３７】
図１２は、駆動シャフト２９０のカラー２９２と、ネック２４０の内面から延伸する案内部材２４２と、の間の関係の詳細な部分断面図である。好ましくは、案内部材２４２は、案内面２４４を画定する。駆動シャフト２９０が長手方向軸Ｌに沿って動作する間、カラー２９２の一部分に接触してネック２４０を変位させるのは、この案内面２４４である。案内面２４４は、好ましくは、駆動シャフト２９０の長手方向軸Ｌに対して幾らかの角度をなして延伸する。この角度は、図１２に示すように、角度Ａとして表される。角度Ａは、案内面２４４のいかなる角度であってもよく、駆動シャフト２９０の往復運動中にカラー２９２と周期的に係合する結果、歯ブラシのヘッドに運動を付与する。一般的に角度Ａは、下限値として、約５°、より好ましくは約１０°、より好ましくは約２０°、より好ましくは約３０°、及びより好ましくは約４０°からである。角度Ａは、上限値として、約８５°まで、より好ましくは約８０°まで、より好ましくは約７０°まで、より好ましくは約６０°まで、及びより好ましくは約５０°までである。
【００３８】
カラー２９２は、駆動シャフト２９０から分離した構成要素ではなく、その上に組立又は固着されなければならず、駆動シャフト２９０と一体的に形成され得ることが理解されるであろう。
【００３９】
図１３は、好ましい実施形態の歯ブラシ２０２の変異型構成を図解している。この代替例においては、ネック部分２４０の内部に、第２部材２４６が設けられている。この二次的部材２４６は、駆動シャフト２９０の往復運動中、駆動シャフト２９０の位置整合を支援し促進する。
【００４０】
好ましい実施形態の歯ブラシはまた、駆動シャフト２９０が往復運動ではなく軌道型運動を行う駆動機構を利用してもよい。例えば、図１４及び１５に示すように、駆動シャフト２９０は、軌道運動を行うと同時に、図１５に示した中心点Ｃの周囲を経路Ｐにほぼ沿って回転する。図１４を参照すると、この場合、駆動シャフト２９０が回転するとき、駆動シャフトはネック２４０の内側から延伸する第１軌道案内部材２４５に周期的に接触して、好ましくは係合することが分かるであろう。前述のとおり、この接触及び係合により、ネック部分及びヘッド部分が変位する。駆動シャフト２９０がその経路Ｐをたどり続けて部材２４５から係合離脱するとき、ヘッド部分及びネック部分は、その元の位置に戻る。好ましい態様において、駆動シャフト２９０は、単一の運動を行う。つまり、駆動シャフト２９０が中心点Ｃの周りで軌道運動を行うとき、シャフト２９０は、その末端部のいずれか又は両方の直線的変位、又は軌道運動から生じる円形経路からの逸脱などの、他のいかなる運動をも行っていない。
【００４１】
更に別の代替例を図１６に図示する。この代替例において、第１軌道案内部材２４５及び第２軌道案内部材２４７などの、複数個の案内部材が設けられる。
【００４２】
更に図１０及び１１を参照すると、ブラシヘッド２５０の第１方向の移動は、主に駆動シャフト２９０、より厳密に言えばそのカラー２９２と、案内部材２４２との間の係合に起因することが理解されるであろう。第２方向の移動（即ち、一般に第１方向とは反対方向）は、主に可撓性部材３００の先の負荷の解除に起因する。この特性は、本明細書でバイアス復帰（bias return）と呼ばれる。ヘッド２５０及びネック２４０が第１方向、例えば図１０に示した矢印Ｔの方向に移動する間、部材３００の領域３００ｂは圧縮され、また部材３００の反対の領域３００ａは張力下に置かれる。ブラシヘッド２５０及びネック２４０が第２方向、例えば図１１に示した矢印Ｖの方向に移動する間、ヘッド２５０及びネック２４０は可撓性部材３００がその元の形状に戻るときに動く。可撓性部材３００の剛性、弾性、並びに変形の程度及び容易さ（又は抵抗)は、所望により選択されてもよい。その上、歯ブラシの作動中に運動の望ましい態様をもたらすため、領域３００ａ及び／又は３００ｂなどの、異なる物理的特性を有する部材３００の１つ以上の領域が設けられてもよいことが考慮される。
【００４３】
先の説明は、一般的に、単一の内側の案内部材２４２を利用したネック構成に関する。好ましくは、案内部材２４２は、その範囲内でヘッド２５０及びネック２４０が動く運動の望ましい平面内に設けられる。例えば、ヘッド及びネックがブラシのＹ平面のほぼ範囲内で旋回すること又は動作することが望ましい場合、案内部材２４２は、図１０及び１１に示すように、歯ブラシの作動中にユーザーの最も近く又は最も遠くに位置するネックの領域において、ネック２４０の内側領域に沿って配置されるべきである。
【００４４】
図１６に図示された歯ブラシの実施形態は、２つの案内部材２４５及び２４７を利用しており、ヘッド及びネックにバイアス復帰をもたらす可撓性部材の必要性を排除することができる。
【００４５】
その上、可撓性部材３００が存在しなくても、歯ブラシにバイアス復帰をもたらすことができる。代わりに、ネック２４０及び／又はヘッド２５０の構成材料によりバイアス復帰をもたらすことができる。
【００４６】
様々な組み合わせ及び数の毛支持体と、任意に、ヘッド及び／又はネック領域から延伸する毛（静止毛と呼ばれる）とを併せて利用した図７〜９に示した代替実施形態と同様に、図１０〜１６に図示された歯ブラシも、様々な組み合わせ及び様々な数の毛支持体を利用してもよい。その上、図１０〜１６の歯ブラシはまた、ヘッド及び／又はネック領域から直接的に延伸する毛を利用してもよい。歯ブラシが稼動してヘッド及びネックが動くと、毛は運動するので、かかる毛は、本明細書でその用語を使用する際の「静的」ではない。しかし、毛は、ヘッド及びネックに対してなおも「静的」であると見なすことができる。
【００４７】
本発明の実施形態では、簡略化のために、毛支持体の長手方向軸と表面にほぼ垂直な方向に延伸する毛を示したが、毛を第１及び／又は第２毛支持体を完成させ、或いは更に強化するために異なる配置にすることが考えられる。つまり、いくつかの又は全ての毛は、毛支持体の表面に対して鋭角を形成する方向に延伸する、及びハンドルに向かって又はそれから離れる方向に延伸することも可能である。他の実施形態では、いくつかの毛が他の方向においてヘッドから外方向に離れて延伸することも可能で、この場合でも毛支持体の表面に対して鋭角を形成する。米国特許意匠第３３０，２８６号及び４３４，５６３号に記載されているような、マッサージ毛又は高さの異なる毛を使用してもよく、その要旨を参考として本明細書に組み込む。使用に適したその他の好ましい毛の配置の一部又は全容が示される、米国特許第６，００６，３９４号、第４，０８１，８７６号、第５，０４６，２１３号、第５，３３５，３８９号、第５，３９２，４８３号、第５，４４６，９４０号、第４，８９４，８８０号及びＰＣＴ国際公開特許ＷＯ９９／２３９１０に記載され、その要旨を参考として本明細書に組み込む。
【００４８】
本明細書で記載される好ましい実施形態の歯ブラシにおいて、様々な駆動機構を利用してもよい。既に述べた通り、動力式の往復運動又は軌道運動を生み出す駆動機構が好ましい。例えば、その内容が本明細書に参照により組み込まれる、米国特許第５，６１７，６０３号、第５，８５０，６０３号、第５，９７４，６１５号、第６，０３２，３１３号、第５，５０４，９５９号、第５，５２４，３１２号、第５，６２５，９１６号、第５，７３２，４３２号、第５，０７０，５６７号、第５，１７０，５２５号、第５，４１６，９４２号、第３，５８８，９３６号、第５，８６７，８５６号及び第４，３９７，０５５号は、適したその他のモータ及び回転又は振動シャフト配置を開示する。更に、その内容が本明細書に参照により組み込まれる、２００１年１２月２１日出願の米国特許出願番号１０／０２７，５９４及び２００１年１１月６日出願の０９／９９３，１６７に開示される駆動機構を使用してもよい。更に、その内容が本明細書に参照により組み込まれる、米国特許第５，６１７，６０１号及び第５，４３５，０３２号の任意の又は全ての態様が本明細書に記載される歯ブラシに利用されてもよい。
【００４９】
１つ以上の毛支持体に運動を付与するその他の好ましい機構は、本明細書に参照により組み込まれる、２００２年３月４日出願の仮出願第６０／３６１，６２５号に記載される。この機構は「横方向」運動を毛支持体に付与する。図１を参照すると、このような運動により毛支持体６０及び７０のいずれか又はその両方が、歯ブラシヘッドの平面内、例えばＸ平面内で、又は歯ブラシヘッドに平行な平面内で、及び歯ブラシの長手方向軸にほぼ垂直な方向に往復運動する。
【００５０】
本明細書に記載した運動を備えるため、様々な異なる機構を使用してもよい。これらの機構は、回転シャフト又は振動シャフトのどちらか一方、又は線状往復運動シャフトを動源として利用してもよい。一般に、様々な反復周期的運動は、旋回する部材の配置及び予め定められた自由に動く部分を有する連結組立体により得られる。それ故に、動力シャフトから起こる回転運動又は往復運動は、駆動機構を形成する構成要素の特定の選択や構成により、線状、一次線状、曲線的、又は３次元的な運動に変換されてもよい。更に、毛支持体の動きを補助し又は導くために、ヘッド又は毛支持体付近の歯ブラシ本体部に沿って又はその内部に、案内溝を備えてもよい。
【００５１】
更に、本明細書に記述もしくは図解した機構又は動力伝達系のいずれも、本明細書に記載した他の機構又は動力伝達系のいずれとも組み合わせてもよいことが理解されるであろう。また、これらの機構のいずれの部分も、本明細書に記載した他の機構のいずれの部分と組み合わせてもよい。本明細書に記述した歯ブラシには、本明細書中の２つの動力伝達系を用いてもよく、それぞれの動力伝達系は、特定の毛支持体に動力を供給すると考えられる。それ故に、２つの電気モータをそれぞれの動力伝達系に利用することもできる。
【００５２】
その上、歯ブラシの実施形態は、図１〜９に図示されている歯ブラシの特徴と、更に図１０〜１６に図示されている歯ブラシの特徴の両方を利用できることが考慮される。例えば、歯ブラシは、カム部材１５０と、支持体６０をヘッドに対して脈動運動及び／又は振動運動させる柱１４０とを有する毛支持体６０と併せて、可撓性部材３００、案内部材２４２、及びヘッド及びネックの集合体全体を運動させる往復運動駆動シャフト２９０を設けることができる。
【００５３】
本発明の歯ブラシにおける様々な構成要素のための材料の選択は、重要な考慮要件である。歯ブラシは、特定の運動を１つ以上の毛支持体に付与するために、様々な傾いた傾斜即ちカム表面を採用している。したがって、適切な材料を選択して、これら構成要素とその各表面の耐久性及び耐摩耗性を増進するのが望ましい。これらの構成要素は、広範な材料から形成されてもよい。一般に、これらの構成要素は、低い摩擦特性を示すことが好ましい。本明細書に記載された歯ブラシにおいて利用される他の構成要素は、軸受、又は回転要素を支持するための点としての機能を果たす。これらの構成要素は、好ましくは低摩擦材料、又は内部潤滑性さえも有する材料から形成される。
【００５４】
ある応用法では、ヘッド又はネック領域に開口部又は開口へのアクセスを設け、通常のブラッシング動作によって周囲に存在する水が、ブラシヘッドの内部に浸入して、様々な構成要素の様々な外部表面を潤滑する働きをしてもよいことがさらに考慮される。
【００５５】
加えて、図１０〜１６に記載された歯ブラシにおいて、可撓性部材３００は、種々の材料から作られてもよい。一般に、これらの材料は可撓性であり、変形に対する限定的な程度又は抵抗を示す。当該材料は、変形する（即ち、その上に負荷がかけられた後に負荷が取り除かれる）と、その元の形状及び配置に容易に戻るべきである。可撓性部材に使用される材料の望ましい圧縮、剛性、及び／又は弾力特性についての目安は、次の通りである。典型的な寸法の電動歯ブラシに関して、可撓性材料は、可撓性部材が完全に圧縮されることなく、約４５０〜約１３６０グラム（約１〜約３ポンド）のブラッシング負荷をブラシヘッド上にかけられるような厚さ及び特性を有することが好ましい。つまり、そのような負荷をブラシヘッド上にかけた際、可撓性部材は、更に負荷を追加するための適切な残量又は容量を保持すること、また負荷を解除した際、そのような負荷（即ち約４５０〜約１３６０グラム（約１〜３ポンド））は、可撓性部材を永続的に変形させないことが望ましい。
【００５６】
可撓性部材に関して広範な材料及び／又は材料の組み合わせを利用できることが考慮される。例えば、様々な発泡材料又は他の多孔性マトリックス（cellular matrix）を採用することができる。時間依存特性を有する、粘弾性の発泡体又はマトリックスを使用することができる。２つ又はそれ以上の異なる発泡体が一つに接着された結合発泡体を使用することができる。その上、発泡体の代わりに、又は発泡体に加えて、一般に非圧縮性の粘弾性流体を使用することができる。したがって、非圧縮性材料から形成された可撓性部材は、圧縮されないが、その代わりにある種の運動に耐える。加えて、可撓性部材は、１つ以上の区分の領域を利用することができ、各領域は、分離した別個の特性を有する。更に、可撓性部材は、下にある材料を保護する、又は可撓性部材の剛性、弾力、若しくは変形特性を補助する働きをし得る、１つ以上の被覆材料を利用することが考慮される。
【００５７】
本明細書に記載された好ましい実施形態の歯ブラシのヘッド及びネック部分は、数々の高分子材料から形成され得る。本発明で使用するための好ましいポリマー材料についての以下の説明において、当業者が幾つかのポリマーを指すのに通常使用する略語を、ポリマーの全名称の後に括弧書きしている。好ましいポリマーの例は、は、ポリプロピレン（「ＰＰ」）であるか、又は、ポリスチレン（「ＰＳ」）、ポリエチレン（「ＰＥ」）、アクリロニトリル−スチレンコポリマー（「ＳＡＮ」）、及びセルロースアセテートプロピオネート（「ＣＡＰ」）などの、他の従来型歯ブラシの材料からなる群から選択されてもよい。別の代表的なポリマーは、好ましくは、熱可塑性エラストマー（「ＴＰＥ」）、熱可塑性オレフィン（「ＴＰＯ」）、軟質熱可塑性ポリオレフィン（例えば、ポリブチレン）であるか、又は、エチレン−ビニルアセテートコポリマー（「ＥＶＡ」）、及びエチレンプロピレンゴム（「ＥＰＲ」）などの、他のエラストマー材料から選択されてもよい。本発明において適した熱可塑性エラストマーの例としては、スチレン−エチレン−ブタジエン−スチレン（「ＳＥＢＳ」）、スチレン−ブタジエン−スチレン（「ＳＢＳ」）、及びスチレン−イソプレン−スチレン（「ＳＩＳ」）が挙げられる。本発明において適した熱可塑性オレフィンの例としては、ポリブチレン（「ＰＢ」）及びポリエチレン（「ＰＥ」）が挙げられる。ヘッド及び／又はネックを形成するのに用いるための特に好ましい高分子材料は、セルコン（Celcon）（登録商標）の名称で市販される材料である。
【００５８】
更に、歯ブラシのネック及びヘッド部分に審美的に好ましい外観を与えるために色彩が提供されてもよい。不透明な又は半透明の色彩が提供されてもよい。半透明のブラシのために、ネック及び／又はヘッドに挿入物を更に設けることができる。そのような挿入物はいかなる色彩であってもよく、典型的にポリプロピレン材から作成される。
【００５９】
ヘッド及びネック構成要素を製造するために、射出成形など、当業者に既知である技術を使用することができる。ハンドル及び／又は毛に関するいかなる設計、形状、又は構成も本明細書において好している。
【００６０】
可撓性ネックは、ユーザーにより及ぼされることもある、歯及び歯肉上の過剰な力を緩衝するような作用も可能である。ブラシング中に過剰な力を付加することは、歯肉に対して有害である。したがって、本明細書で説明する好ましい実施形態の歯ブラシのネックを形成する材料を適切に選択することにより、過剰な力の付加を防止することができる。
【００６１】
好ましい歯ブラシの構成要素、製造、及び使用の更なる態様及び詳細は、米国特許出願６０／４１０，８６４、６０／４１０，５５６、６０／４１０，８６５、６０／３８７，８４１、１０／１２８，０１８、６０／４１９，６７２、６０／４１０，９０２、６０／４１０，９０３、６０／４１０，８５３、６０／４６４，７８７、６０／４８７，６７０に記載されており、これらの全てを参考として本明細書に組み込む。
【００６２】
本発明は、特定の実施形態に関して記述してきた。他者においては、本明細書を読み且つ理解することで、変更、並びに代替形態が生じるであろう。その上、本明細書に記載された歯ブラシのいずれかの特徴若しくは態様のいずれかは、本明細書に記載された歯ブラシのいずれかの他の特徴又は態様のいずれかと組み合わされて、又は併せて利用されてもよいことが考慮される。全てのそのような変形及び変更は、添付の特許請求又はそれに等しい範囲内にある限り包含されると意図する。
【００６３】
「発明を実施するための最良の形態」で引用したすべての文献は、関連部分において本明細書に参考として組み込まれるが、いずれの文献の引用も、それが本発明に関して先行技術であることを容認するものとして解釈されるべきではない。
【００６４】
本発明の特定の実施形態を図解し記載したが、本発明の精神及び範囲から逸脱することなく他の様々な変更及び修正を実施できることが、当業者には明らかであろう。したがって、本発明の範囲内にあるそのようなすべての変更及び修正を、添付の特許請求の範囲で扱うものとする。
【図面の簡単な説明】
【００６５】
【図１】本発明による好ましい実施形態における歯ブラシの斜視図であり、歯ブラシに関する様々な平面及びその配向を図解している。
【図２】本発明による好ましい実施形態の歯ブラシのヘッド部分の部分分解図。
【図３】図２に図解された好ましい実施形態の歯ブラシにおいて用いる第１毛支持体の側面図。
【図４】図３に示した第１毛支持体の下面図。
【図５】好ましい実施形態の歯ブラシの部分的に組立てられたヘッド部分の斜視図。
【図６】ブラシの作動中の第１毛支持体の変位を図解する、好ましい実施形態の歯ブラシのヘッド部分の図の一群。
【図７】本発明による別の好ましい実施形態の歯ブラシのヘッド部分の正面図。
【図８】本発明に従う更に別の好ましい実施形態の歯ブラシの正面図。
【図９】本発明に従う更に別の好ましい実施形態の歯ブラシの正面図。
【図１０】別の好ましい実施形態の歯ブラシのヘッド部分の部分断片側面図であり、本発明による往復運動する駆動シャフトが第１方向に移動中である。
【図１１】図１０に図示された歯ブラシの部分断片側面図であり、駆動シャフトが第２方向に移動中である。
【図１２】図１０に図示した歯ブラシに用いた駆動シャフトと案内部材との間の嵌合を図解する、詳細な部分断面図。
【図１３】二次的な安定化部材を設けた、図１０及び１１に示した歯ブラシの部分断片側面図。
【図１４】本発明による軌道運動駆動シャフトを用いた、更に別の好ましい実施形態の歯ブラシの部分断片側面図。
【図１５】図１４に図示した歯ブラシのネック及びヘッド部分の下面図。
【図１６】図１４に図示された歯ブラシの変形例のヘッド及びネック部分の下面図。
【図１】
2007514503.tif 000003
【図２】
2007514503.tif 000004
【図３】
2007514503.tif 000005
【図４】
2007514503.tif 000006
【図５】
2007514503.tif 000007
【図６】
2007514503.tif 000008
【図７】
2007514503.tif 000009
【図８】
2007514503.tif 000010
【図９】
2007514503.tif 000011
【図１０】
2007514503.tif 000012
【図１１】
2007514503.tif 000013
【図１２】
2007514503.tif 000014
【図１３】
2007514503.tif 000015
【図１４】
2007514503.tif 000016
【図１５】
2007514503.tif 000017
【図１６】
2007514503.tif 000018
【国際調査報告】
2007514503.tif 000019
2007514503.tif 000020
2007514503.tif 000021
2007514503.tif 000022
2007514503.tif 000023